(57)【特許請求の範囲】
【請求項１】
飾り柱等の家屋の一部を形成する長尺状部材の内部に空間部を形成し、この空間部内にスピーカユニットを組み込んだスピーカシステムであって、
上記スピーカユニットは、トラック型の中高音出力用のスピーカユニットと、反発磁気回路型の低音出力用のスピーカユニットとからなり、
上記中高音出力用のスピーカユニットは、木材または木材感を有する上記長尺状部材の側面部分に設けられた開放部位からその一部が露出するように取り付けられて、上記長尺状部材の側方に配置された壁面に沿う方向に音を出力するように構成されていると共に、
上記低音出力用のスピーカユニットは、上記壁面に対してその正面が平行となるように内蔵されていることを特徴とするスピーカシステム。
【請求項２】
壁面に対して突出するように取り付けられた長尺状部材の側面部分に音を出力する出力部を設け、スピーカユニットから出力される音を上記壁面に沿う方向に出力するようにしたスピーカシステムであって、
上記スピーカユニットは、トラック型の中高音出力用のスピーカユニットと、反発磁気回路型の低音出力用のスピーカユニットとからなり、
上記中高音出力用のスピーカユニットは、木材または木材感を有する上記長尺状部材の側面部分に設けられた開放部位からその一部が露出するように取り付けられて、上記長尺状部材の側方に配置された壁面に沿う方向に音を出力するように構成されていると共に、
上記低音出力用のスピーカユニットは、上記壁面に対してその正面が平行となるように内蔵されていることを特徴とするスピーカシステム。
【請求項３】
前記スピーカユニットからの音が少なくとも２方向以上の木口部から出力されるように構成されたことを特徴とする請求項１または２記載のスピーカシステム。
【請求項４】
前記スピーカユニットを１つまたは複数設け、前記スピーカユニットの少なくとも１つが、前記壁面に対してその正面が平行となるように内蔵された低音出力用のスピーカユニットであることを特徴とする請求項１，２または３記載のスピーカシステム。
【請求項５】
前記中高音出力用のスピーカユニットの一部を露出させた開放部位に、この開放部位から出力される音を前記長尺状部材の突出方向へ導くガイドを設けたことを特徴とする請求項１から４のいずれか１項記載のスピーカシステム。
【請求項６】
前記低音出力用のスピーカユニットから前記側面部分に設けた出力ポートに音が伝わるルートを複数設け、当該低音出力用のスピーカユニットの正面または背面から出力された低音が、その複数のルートのうちの一方を伝わり、その反対の面から出力された低音と所望する低音の中心周波数で半波長ずれて位相が合うように合成されて、その合成音が上記出力ポートから出力されるように上記複数のルートの長さを設定したことを特徴とする請求項１から５のいずれか１項記載のスピーカシステム。
【請求項７】
前記中高音出力用のスピーカユニットが前記長尺状部材の長手方向における中央近傍に取り付けらると共に、前記低音出力用のスピーカユニットが前記長尺状部材の長手方向における両端もしくは一端に取り付けられることを特徴とする請求項１から６のいずれか１項記載のスピーカシステム。
【請求項８】
前記長尺状部材の空間部内に配置された前記スピーカユニットにより、ステレオ信号による再生ができるように構成されたことを特徴とする請求項１から７のいずれか１項記載のスピーカシステム。
【請求項９】
前記長尺状部材の空間部内に、前記スピーカユニットに電気的に接続されたパワーアンプおよび音楽信号を受信または再生するための装置のうちの少なくともいずれか一つを組み込んだことを特徴とする請求項１から８のいずれか１項記載のスピーカシステム。
【請求項１０】
前記長尺状部材の空間部内に、前記スピーカユニットの電源となる発電装置または蓄電装置を組み込んだことを特徴とする請求項１から９のいずれか１項記載のスピーカシステム。
【発明の詳細な説明】
【０００１】
【発明の属する技術分野】
本発明は、飾り柱や梁等、家屋の一部を構成する長尺状部材を利用したスピーカシステムに関する。
【０００２】
【従来の技術】
従来より、室内の空間を有効に利用するために、大型のスピーカを室内の床等に置かずに、天井から吊して使用している例が知られている（これを、「天井吊し型」と称する）。また、スピーカ本体を壁や天井に埋め込んだものも知られている（これを壁埋め込み型」と称する）。
【０００３】
【発明が解決しようとする課題】
しかし、従来の天井吊し型および壁埋め込み型の各タイプのスピーカでは、低音の再生が十分とは言えない。すなわち、従来の天井吊し型のスピーカの場合、天井の高さによってはスピーカが邪魔になるので、大型のスピーカを吊せない。また、天井の強度が弱い場合も同様に、大型のスピーカは吊せない。このため、低音の再生に適さない小型のスピーカを天井から吊さなければならず、低音の再生を効率よく行うことが出来ない。
【０００４】
また、従来の壁埋め込み型のスピーカの場合、その埋め込まれた空間内でキャビティがきちんと構成されていない。そのため、やはり低音の再生が効率よくできない。加えて、図８に示すように、出力される音の方向が壁の前方（図８中の複数の矢印は音の出力される方向を示している）のみとなっている。したがって、室内２０におけるスピーカ２１の前方以外の領域（例えば、部屋の隅の方）には、音が行き届きにくい。
【０００５】
そこで、本発明は、家屋の一部を形成する長尺状部材を有効活用し、十分な強度とし大型のスピーカにも適用できるようにしたスピーカシステムを提供することを目的とする。また、他の発明は、音が室内に万遍なく行き届くようなスピーカシステムを提供することを目的とする。
【０００６】
【課題を解決するための手段】
かかる目的を達成するため、本発明は、飾り柱等の家屋の一部を形成する長尺状部材の内部に空間部を形成し、この空間部内にスピーカユニットを組み込んだスピーカシステムであって、トラック型の中高音出力用のスピーカユニットと、反発磁気回路型の低音出力用のスピーカユニットとからなり、中高音出力用のスピーカユニットは、木材または木材感を有する長尺状部材の側面部分に設けられた開放部位からその一部が露出するように取り付けられて、長尺状部材の側方に配置された壁面に沿う方向に音を出力するように構成されていると共に、低音出力用のスピーカユニットは、壁面に対してその正面が平行となるように内蔵されていることを特徴としている。
【０００７】
また、他の発明は、壁面に対して突出するように取り付けられた長尺状部材の側面部分に音を出力する出力部を設け、スピーカユニットから出力される音を上記壁面に沿う方向に出力するようにしたスピーカシステムであって、トラック型の中高音出力用のスピーカユニットと、反発磁気回路型の低音出力用のスピーカユニットとからなり、中高音出力用のスピーカユニットは、木材または木材感を有する長尺状部材の側面部分に設けられた開放部位からその一部が露出するように取り付けられて、長尺状部材の側方に配置された壁面に沿う方向に音を出力するように構成されていると共に、低音出力用のスピーカユニットは、壁面に対してその正面が平行となるように内蔵されていることを特徴としている。
【０００８】
また、他の発明は、上述の各スピーカシステムにおいて、スピーカユニットからの音が少なくとも２方向以上の木口部から出力されるように構成されたことを特徴としている。
【０００９】
また、他の発明は、上述の各スピーカシステムにおいて、スピーカユニットを１つまたは複数設け、スピーカユニットの少なくとも１つが、壁面に対してその正面が平行となるように内蔵された低音出力用のスピーカユニットであることを特徴としている。
【００１１】
また、他の発明は、上述の各スピーカシステムにおいて、中高音出力用のスピーカユニットの一部を露出させた開放部位に、この開放部位から出力される音を長尺状部材の突出方向へ導くガイドを設けたことを特徴としている。
【００１２】
また、他の発明は、上述の各スピーカシステムにおいて、低音出力用のスピーカユニットから側面部分に設けた出力ポートに音が伝わるルートを複数設け、当該低音出力用のスピーカユニットの正面または背面から出力された低音が、その複数のルートのうちの一方を伝わり、その反対の面から出力された低音と所望する低音の中心周波数で半波長ずれて位相が合うように合成されて、その合成音が出力ポートから出力されるように複数のルートの長さを設定したことを特徴としている。
【００１３】
また、他の発明は、上述の各スピーカシステムにおいて、中高音出力用のスピーカユニットが長尺状部材の長手方向における中央近傍に取り付けらると共に、低音出力用のスピーカユニットが長尺状部材の長手方向における両端もしくは一端に取り付けられることを特徴としている。
【００１４】
また、他の発明は、上述の各スピーカシステムにおいて、長尺状部材の空間部内に配置されたスピーカユニットにより、ステレオ信号による再生ができるように構成されたことを特徴としている。
【００１５】
また、他の発明は、上述の各スピーカシステムにおいて、長尺状部材の空間部内に、スピーカユニットに電気的に接続されたパワーアンプおよび音楽信号を受信または再生するための装置のうちの少なくともいずれか一つを組み込んだことを特徴としている。
【００１６】
また、他の発明は、上述の各スピーカシステムにおいて、長尺状部材の空間部内に、スピーカユニットの電源となる発電装置または蓄電装置を組み込んだことを特徴としている。
【００１７】
【発明の実施の形態】
以下、本発明に係るスピーカシステムの実施の形態を、図面に基づいて詳細に説明する。
【００１８】
図１は、壁に対して突出するように取り付けられる長尺状部材となる飾り柱１を示す斜視図である。本実施の形態では、飾り柱１は、長手方向の長さ（＝高さ（図１における上下方向の寸法））Ｌ１が２４００ｍｍ、幅Ｌ２が２０２ｍｍ、奥行きＬ３が５５ｍｍの長方体のリサイクル材で構成されている。飾り柱１の内部には、空間部（空洞）１ａ（図２参照）が形成されている。図１における紙面奥側の面が、室内２０の壁面（図３参照）１０に固定されることにより、飾り柱１は、壁面１０から前方へ突出するように壁面１０に取り付けられる。
【００１９】
この壁面１０への取り付け状態において、壁面１０の一方の側面部分、すなわち壁面１０に直交する第１の木口部（図１における右側の側面部）２ａには、長手方向における両端近傍にそれぞれ１つ、および中央近傍に２つ、計４つの当該飾り柱１の内部の空間部１ａへ通じる孔が設けられている。また、壁面１０の他方の側面部分となる壁面１０に直交する第２の木口部２ｂ（図１における左側の側面部）には、長手方向における中央近傍に２つの当該飾り柱１の内部の空間部１ａへ通じる孔が設けられている（図示省略）。
【００２０】
本実施の形態では、飾り柱１の第１の木口部２ａの長手方向両端近傍に設けられた２つの孔が、後述する低音出力用のスピーカユニット４から出力される音を、空間部１ａから外部へ放出するための出力ポート５となっている。また、本実施の形態では、飾り柱１の第１及び第２の木口部２ａ，２ｂにそれぞれ２つずつ設けられた計４つの孔が、後述する各中高音出力用のスピーカユニット３の一部を外部に露出させ、この露出部分から音を出力させるための開放部位である開口部６となっている。
【００２１】
図２は、スピーカユニットが組み込まれた長尺状部材となる飾り柱１の内部構造の一部（図１に示した飾り柱１のの下半分）を、裏側（壁面１０と当接している側）から示した平面断面図である。なお、図２における上端近傍部分は、図１の長手方向（図１における上下方向）における中央近傍である。図２に示すように、飾り柱１の空間部１ａの長手方向における中央近傍には、中高音出力用のスピーカユニット３，３が取り付けられている。
【００２２】
各中高音出力用のスピーカユニット３は、それぞれ上述の開口部６から表面が外部に向かって露出するように配置され、当該開口部６に空間部１ａ側からネジ止め固定されている。なお、各中高音出力用のスピーカユニット３は、空間部１ａ内で枠によってさらに仕切られた小さな空間内に配置され、その小さな空間内でキャビティを含めて構成されている。
【００２３】
中高音出力用のスピーカユニットに関して、この図２においては、当該図２の上端近傍に取り付けられた２つの中高音出力用のスピーカユニット３，３のみを示しているが、これらの中高音出力用のスピーカユニット３，３の上部にさらに図示しない２つの中高音出力用のスピーカユニットが取り付けられている。すなわち、両木口部２ａ，２ｂの長手方向の中央近傍にそれぞれ２つずつ設けられた孔からそれぞれ表面が露出するように計４つの中高音出力用のスピーカユニット３が取り付けられている。
【００２４】
各中高音出力用のスピーカユニット３は、細長い、いわゆるトラック型のスピーカで構成されており、幅（露出している部分における上下の幅）が１１０ｍｍ、奥行き（露出している部位から最内（奥）部までの距離（＝図２においては左右方向の幅）が４０ｍｍ、高さ（露出している部分における高さ（＝図２においては紙面奥行き方向））が３０ｍｍとなっている。また、各中高音出力用のスピーカユニット３は、横方向に隣接する２つのスピーカユニット３の一方がＬ信号、他がＲ信号を出力することでステレオのＬＲ信号が再生できるように取り付けられており、壁面１０と平行方向（図２の矢示Ｘ方向参照）に音を出力するようになっている。
【００２５】
このため、図３に示すように、両木口部２ａ，２ｂからの音は、当該木口２ａ，２ｂと直交する壁面１０に沿って出力されることになる。このため、この実施の形態のスピーカシステムは、従来の壁埋め込み型のスピーカと異なり、音が飾り柱１の側方に壁面１０に沿って出力されることとなる（図３参照）。さらに、後述するように、各中高音出力用のスピーカユニット３は、指向性が広いため、前方、すなわち壁面１０から部屋内部に向かう方向にも音を出力する。この結果、室内のどこに対しても、ほぼ均一かつ確実に音を再生することが可能となる。
【００２６】
次に、中高音出力用のスピーカユニット３の構成について説明する。中高音出力用のスピーカ３は、上下方向においては振動板（図示省略）の幅が比較的長く指向性は狭くなる。しかしながら、本実施の形態では、各中高音出力用のスピーカユニット３は、部屋の高さの中央付近に配置されている。このため、周波数特性上、高さ（上下）方向においては室内のどの場所でも通常の耳の高さで問題のない範囲で中高域の音を聴取することができる。
【００２７】
また、各中高音出力用のスピーカユニット３は、図２における紙面手前および奥行き方向においては振動板の幅（高さ）が比較的短いため指向性が広い。そのため、上述したように、壁面１０に沿う方向（水平方向）だけでなく、壁面１０の前方（飾り柱１の突出方向＝図３における下方向）へも音が拡がることとなる。
【００２８】
また、図２に示すように、飾り柱１の空間部１ａの長手方向における両端近傍には、それぞれ低音出力用のスピーカユニット４が取り付けられている。この図２においては、当該図２の下端近傍に取り付けられた１つの低音出力用のスピーカユニット４のみが示されているが、図示しない上端近傍にも同様に低音出力用のスピーカユニット４が取り付けられている。
【００２９】
この低音出力用のスピーカユニット４は、反発磁気回路を用いた、いわゆるダイレクトドライブ方式（ボイスコイルにボビンを介さずに直接振動板が接着されている方式）のもので、直径約１６０ｍｍ、厚さは約２５ｍｍのスピーカ本体４ｇを備えている。
【００３０】
図４は、図２のＩＶ−ＩＶ断面図である。図４に示すように、この低音出力用のスピーカユニット４は、飾り柱１の突出方向における厚さ（図４における上下の幅）の中に、スピーカ本体４ｇの正面が壁面１０と反対方向を向くように内蔵されている。
【００３１】
低音出力用のスピーカユニット４は、中央部分に２つのマグネット４ａ，４ａを上下方向に重ねて配置している。これらのマグネット４ａ，４ａは、磁性材であるセンタープレート４ｃを挟んで互いに同極（例えば、Ｎ極）が向かい合うようにして、フレーム４ｄに接着固定されている。
【００３２】
センタープレート４ｃの外側には、ボビンレスのボイスコイル４ｂが配置されている。このボイスコイル４ｂの外周部中央には、当該ボイスコイル４ｂの巻き幅（図４における上下方向の幅）内の範囲におさまる厚みの振動板４ｅの内周部分が固着されている。さらに、この振動板４ｅの外周部には、サスペンションとして作用するエッジ４ｆの内周部分が接合され、このエッジ４ｆの外周部分が絶縁部材を介してフレーム４ｄのフランジ（最外周部）に固定されている。
【００３３】
このように構成された低音出力用のスピーカユニット４の最外周部分、すなわちフレーム４ｄのフランジ部分が、飾り柱１の内側に固定された水平面枠体１１に保持されている。この低音出力用のスピーカユニット４は、その構成上、水平面枠体１１の表裏双方（図４における上下両方向）に音が出力されるようになっている。
【００３４】
図５は、図２のＢ−Ｂ’−Ｂ”断面図である。水平面枠体１１の図２における上端部分には、低音出力用のスピーカユニット４の図２における紙面手前側（スピーカユニット４の背面側）に出力された低音をキャビティ内のルートとなる第１の音響迷路８ａに導く（図２において音の出力方向を矢印Ｃ１で示す）ための第１のガイド壁９ａと、低音出力用のスピーカユニット４の図２における紙面奥側（スピーカユニット４の正面側）に出力された低音をキャビティ内の第２の音響迷路８に導く（第２において音の出力方向を矢印Ｃ２で示す）ための第２のガイド壁９ｂが設けられている。
【００３５】
すなわち、低音出力用のスピーカユニット４は、空間部１ａ内を枠で仕切られた小さな空間に分割されている。大別すると、低音出力用のスピーカユニット４の内部は、スピーカ本体４ｇを保持する本体保持部７と、スピーカ本体４ｇから出力された音を出力ポート５へ導くための音響迷路８ａ，８ｂに分けられている。
【００３６】
音響迷路８ａ，８ｂは、キャビティ（空洞）の内壁と、仕切り板１２と、ガイド壁９ａ，９ｂによって形成された音の伝わるルートである。スピーカ本体４ｇの前面（図２においては紙面奥側の面）側へ出力された低音は、スピーカ本体４ｇから出力ポート５まで直線的に伝播する。図２中の矢印Ｃ２は、スピーカ本体４ｇの前面側へ出力された低音の伝播経路を示している。
【００３７】
一方、スピーカ本体４ｇの裏面（図２においては紙面手前側の面）側へ出力された低音は、スピーカ本体４ｇから出力ポート５まで音響迷路８ａを通り、次に音響迷路８ｂを通りほぼ１周するように周回して伝播する。図２中の矢印Ｃ１は、スピーカ本体４ｇの裏面側へ出力された低音の伝播経路を示している。
【００３８】
すなわち、スピーカ本体４ｇの前面側へ出力された低音と、スピーカ本体４ｇの裏面側へ出力された低音とは、音響迷路８ａ，８ｂの別の経路（Ｃ１，Ｃ２）を通って出力ポート５に到達し、出力ポート５の近傍で合成される。なお、音響迷路８ａ，８ｂの長さは、上述の両経路を通ってきた各低音が、所望する低音の中心周波数で半波長ずれて位相が合うように設定されている。すなわち、両経路Ｃ１，Ｃ２を通る各低音の周波数の位相を合わせることにより、音波を打ち消し合わず互いに増幅するように設定されている。本実施の形態では、約１３０Ｈｚを所望の中心周波数とするように、経路Ｃ１と経路Ｃ２との差が約１３０ｃｍに設定されている。
【００３９】
より具体的には、スピーカ本体４の裏面側に出力され経路Ｃ１を通る長さ（経路Ｃ１におけるスピーカ本体４ｇから出力ポート５までの長さ）は、約１６０ｃｍに設定されている。また、スピーカ本体４ｇの前面側に出力され経路Ｃ２を通る長さ（経路Ｃ２におけるスピーカ本体４ｇから出力ポート５までの長さ）は、約３０ｃｍに設定されている。したがって、両経路Ｃ１，Ｃ２の長さの実質的な差は約１３０ｃｍとなる。
【００４０】
これによって、両経路Ｃ１，Ｃ２をそれぞれ通って出力ポート５から出力される低音は、設定された周波数の前後の音を有効に使ったものとなる。加えて、合成された低音は、出力ポート５を経てから外部へ出力されるので、出力ポート５とキャビティによる共振周波数を、上述の中心周波数（約１３０Ｈｚ）に合わせることにより、出力としてロス無く取り出すことができる。それと同時に、その前後の周波数も付随して出力される。さらに迷路による共振（長さの４倍の周波数）も加えられるため、狭いキャビティでも有効に低音が再生できる。
【００４１】
ここで、低音については指向性が広いので、飾り柱１のどこから出ても周波数特性上問題なく聴取できる。すなわち、低音出力用のスピーカユニット４からの低音は、出力ポート５から第１の木口部２ａの外側に向けて出力されるが、指向性が広いため室内全域に音が行き渡り、室内のどこでも周波数特性上問題なく聴取できるようになっている。本実施の形態では、出力ポート５を飾り柱１の第１の木口部２ａの長手方向（上下方向）両端に設けたが、その長手方向正面に設けても良い。また、スピーカ本体４ｇの配置位置を変えることにより、出力ポート５の上下方向における位置を変更しても良い。
【００４２】
上述のスピーカシステムにおいて、スピーカユニットからの音が少なくとも２方向以上の木口部から出力されるように構成すると、１方向の場合に比して音の広がりがさらに向上する。
【００４３】
上述のスピーカシステムにおいて、複数のスピーカユニットのうちの少なくとも１つを、壁面１０に対してその正面が平行となるように内蔵された低音出力用のスピーカユニット４とすると、家屋の一部を利用したスピーカシステムにおいて、従来にはない低音再生に適したものとなる。
【００４４】
上述のスピーカシステムにおいて、トラック型の中高音出力用のスピーカユニット３と、反発磁気回路型の低音出力用のスピーカユニット４とを備え、中高音出力用のスピーカユニット３を、木材または木材感を有する長尺状部材の側面部分に設けられた開放部位からその一部が露出するように取り付け、長尺状部材の側方に配置された壁面１０に沿う方向に音を出力するように構成されていると共に、低音出力用のスピーカユニット４を、壁面１０に対してその正面が平行となるように内蔵すると、両タイプのスピーカユニット３，４のそれぞれの特徴をより良く活かしたスピーカシステムとなる。
【００４５】
上述の各スピーカシステムにおいて、中高音出力用のスピーカユニット３の一部を露出させた開放部位に、この開放部位から出力される音を長尺状部材の突出方向へ導くガイドを設けると、長尺状部材となる飾り柱１の前方における音の広がりがさらに向上する。
【００４６】
上述のスピーカシステムにおいて、低音出力用のスピーカユニット４から側面部分に設けた出力ポート５に音が伝わるルートを複数設け、その複数のルートのうちの一方を伝わる低音が、他方を伝わる低音と所望する低音の中心周波数で半波長ずれて位相が合うように合成されて、その合成音が出力ポート５から出力されるように複数のルートの長さを設定すると、より効率よく低音の出力を行うことができる。なお、前記複数のルートにおいて、中心周波数が異なる２つのルートを設けて、これを合成するようにしても良い。
【００４７】
上述のスピーカシステムにおいて、中高音出力用のスピーカユニット３が長尺状部材の長手方向における中央近傍に取り付けらると共に、低音出力用のスピーカユニット４が長尺状部材の長手方向における両端もしくは一端に取り付けられると、それらの配置のバランスが良く、中高音・低音共に効率よく出力させることができる。
【００４８】
上述のスピーカシステムにおいて、長尺状部材の空間部内に配置されたスピーカユニットにより、ステレオ信号による再生ができるように構成されると、音の広がりがさらに良好なものとなる。
【００４９】
上述のスピーカシステムにおいて、長尺状部材の空間部内に、スピーカユニットに電気的に接続されたパワーアンプおよび音楽信号を受信または再生するための装置等やスピーカユニットの電源となる発電装置等を組み込むと、電気的な配線の引き回し等が不要となり、スピーカ回りがすっきりとする。
【００５０】
なお、上述の実施の形態は、本発明の好適な実施の形態の例であるが、これに限定されるものではなく、本発明の要旨を逸脱しない範囲において種々変形実施可能である。例えば、上述の実施の形態では、各スピーカユニット３，４を組み込む長尺状部材として、室内の壁面１０から突出するように取り付けられた飾り柱１を採用したが、室内の壁面１０から突出して取り付けられる長尺状部材であれば、梁や間仕切りのようなものでも良い。また、強度の面で言えば、長尺状部材の中の空間部にスピーカユニットを設ければ良いので、長尺状部材を壁面１０から必ずしも突出させる必要はない。
【００５１】
また、上述の実施の形態では、中高音出力用のスピーカユニット３を計４つ、低音出力用のスピーカユニット４を計２つ飾り柱１の空間部１ａに組み込んだが、これらの数に限定されるものではない。中高音出力用のスピーカユニット３の数を３つ以下、あるいは５つ以上としても良いし、低音出力用のスピーカユニット４の数を１つあるいは３つ以上としても良い。また、いずれか一方の種類のスピーカユニット、すなわち中高音出力用のスピーカユニット３のみもしくは低音出力用のスピーカユニット４のみが飾り柱１の空間部１ａに組み込まれるように構成されていても良い。
【００５２】
また、上述の実施の形態では、中高音出力用のスピーカユニット３は、飾り柱１の両側面となる両木口部２ａ，２ｂの所定位置に設けられた孔にそれぞれ一部が露出するように設けられ、音が飾り柱１の両側に壁面１０に沿うように出力されるように構成されている。しかし、中高音出力用のスピーカユニット３からの音を、いずれか一方の木口部（２ａもしくは２ｂ）から外部に出力させるように構成しても良い。
【００５３】
また、上述の実施の形態では、低音出力用のスピーカユニット３からの音を外部へ出力させるための出力ポート５を一方の木口部２ａのみに設けたが、出力ポート５を飾り柱１の前面および他方の木口部２ｂに設けても良い。さらに、２つ設けられた低音出力用のスピーカユニット４のうちの一方からの低音を、木口部２ａから出力し、他方からの低音を木口部２ｂから出力させるようにしても良い。
【００５４】
さらに、上述の実施の形態では、飾り柱１の空間部１ａ内にスピーカユニット３，４のみを配置するように構成したが、空間部１ａの空いているスペースにスピーカユニット３，４に電気的に接続されたパワーアンプ、音楽信号を受信または再生するための装置あるいはＣＤプレーヤー等のスピーカユニット３，４に関連する機器を組み込んでも良い。また、さらには、空間部１ａの空いているスペースに、スピーカユニット３，４の電源となる発電装置もしくは太陽電池等の蓄電装置を組み込むようにしても良い。このように、パワーアンプ等の関連機器や発電装置等の電源装置を飾り柱１の空間部１ａ内に備え、スピーカユニット３，４と電気的に接続するようにすると、飾り柱１の外部からの電線コードやスピーカコードの配線の引き回し等が不要となる。
【００５５】
また、上述の実施の形態では、図２及び図３に示すように、各中高音出力用のスピーカユニット３からの音は、水平方向に出力される。すなわち、中高音は、飾り柱１の両側に壁面１０に沿うように出力され、加えて指向性が広いため前方へも音が拡がる。しかし、図６に示すように、各中高音出力用のスピーカユニット３を露出させ、当該スピーカユニット３からの音を出力するための開口部６に、フィン状のガイド１５を設け、このガイドにより当該スピーカユニット３から出力される音をより前方へ誘導するように構成しても良い。このようにすると、飾り柱１の前方における音の広がりがさらに向上する。
【００５６】
上述した実施の形態のスピーカシステムによれば、長尺状部材である飾り柱１の両木口部２ａ，２ｂから壁面１０に沿う方向に音が出力されるように構成されている。そのため、音が壁や天井に沿って室内全体に拡がり、室内のどこにいても一様に音を聞くことができる。
【００５７】
また、上述した実施の形態のスピーカシステムによれば、長尺状部材となる飾り柱１の側方部分となる両木口２ａ，２ｂから各中高音出力用のスピーカユニット３の音を出力させるようにしている。しかし、図７（Ａ）に示すように、長尺状部材となる飾り柱１Ａの断面形状を半円柱とし、その外周面に各中高音出力用のスピーカユニット３を配置するようにしても良い。
【００５８】
また、上述した実施の形態のスピーカシステムによれば、長尺状部材となる飾り柱１の全体が壁面１０から前方へ突出するように取り付けられている。すなわち、飾り柱１の奥側の面が壁面１０と当接するように壁面１０に取り付けられている。しかし、図７（Ｂ）に示すように、飾り柱１Ｂの一部を前方へ突出させ、その残りの部分を壁面１０の奥側に埋め込んでも良い。
【００５９】
【発明の効果】
以上説明したように、本発明によれば、家屋の一部を形成する長尺状部材を有効活用し、十分な強度とし大型のスピーカにも適用できるようにしたスピーカシステムを得ることができる。また、音が室内に万遍なく行き届くようなスピーカシステムを得ることができる。
【図面の簡単な説明】
【図１】本発明の実施の形態のスピーカシステムの一部を構成する長尺状部材の外観を示す斜視図である。
【図２】図１の長尺状部材の内部構造の一部を示す図で、図１の裏側からその内部構造の一部を示した平面図である。
【図３】図１のスピーカシステムから出力される音の経路（広がり）を、当該スピーカシステムが配置された室内の上方から示した模式図である。
【図４】図２のＩＶ−ＩＶ断面図である。
【図５】図２のＢ−Ｂ’−Ｂ”断面図である。
【図６】本発明の実施の形態のスピーカシステムの変形例の要部を示した断面図である。
【図７】（Ａ）は、本発明の実施の形態のスピーカシステムの他の変形例、（Ｂ）はさらに他の変形例の各要部をそれぞれ示した断面図である。
【図８】従来の壁埋め込み式のスピーカにおける室内での音の経路（広がり）を、当該スピーカシステムが配置された室内の上方から示した模式図である。
【符号の説明】
１  飾り柱（長尺状部材）
１ａ  空間部
２ａ，２ｂ  木口部（側面部分）
３  中高音出力用のスピーカユニット
４  低音出力用のスピーカユニット
５  出力ポート
６  開口部（開放部位）
８ａ，８ｂ  音響迷路（ルート）
１０  壁面
１５  ガイド
【図１】
0003951641.tif 000002
【図２】
0003951641.tif 000003
【図３】
0003951641.tif 000004
【図４】
0003951641.tif 000005
【図５】
0003951641.tif 000006
【図６】
0003951641.tif 000007
【図７】
0003951641.tif 000008
【図８】
0003951641.tif 000009